(57)【要約】【課題】作業性を良好にし、配管に損傷を与える危険性をなくし、製作コストを安価にし、配管の位置調整を行なうことを容易にする。【解決手段】吊りボルト１０を平行梁２０に支持し、支持材１１を吊りボルト１０に支持し、全長にネジを有する支持ボルト１３を支持材１１に支持し、複数の保持材１２にボルト穴を設け、支持ボルト１３を保持材１２のボルト穴に通し、支持ボルト１３に保持ナット１８を螺合し、保持材１２の下面を保持ナット１８と接触させて、保持材１２を支持ボルト１３に支持し、保持材１２の上面の一部にレベル調整板１５を載置し、レベル調整板１５にボルト穴を設け、レベル調整板１５のボルト穴と保持材１２のボルト穴とを一致させ、支持ボルト１３を保持材１２のボルト穴、レベル調整板１５のボルト穴に通し、保持材１２の上面に配管３１、３２を載置し、レベル調整板１５の上面に配管３３を載置する。【選択図】        図１
2004270862.tif 000002
【特許請求の範囲】
【請求項１】
支持材にネジが設けられた支持ボルトを支持し、上記支持ボルトを保持材に設けられた第１のボルト穴に通し、上記支持ボルトに保持ナットを螺合し、上記保持材の下面に上記保持ナットを接触させ、上記保持材の上面に配管を載置したことを特徴とする配管支持構造。
【請求項２】
上記保持材の上面の一部にレベル調整板を載置し、上記レベル調整板に第２のボルト穴を設け、上記第２のボルト穴と上記第１のボルト穴とを一致させ、上記支持ボルトを上記第２のボルト穴に通し、上記レベル調整板の上面に配管を載置したことを特徴とする請求項１に記載の配管支持構造。
【発明の詳細な説明】
【０００１】
【発明の属する技術分野】
本発明は発電プラント、化学プラント等の配管を支持する配管支持構造に関するものである。
【０００２】
【従来の技術】
【特許文献１】特開平１１−１５３２６３号公報
【特許文献２】特開平  ９−１２６３５８号公報
【特許文献３】特開平  ６−  １７９７２号公報。
【０００３】
発電プラント、化学プラント等においては、鉄骨等の梁下に配置される同系統の上下左右に配置された複数の水平配管を配管支持構造により支持している。
【０００４】
図３は従来の配管支持構造を示す正面図、図４は図３に示した配管支持構造を示す側面図である。図に示すように、Ｉ型鋼等からなる２本の平行梁２０の上部に鋼板からなる支持板８が設けられ、支持板８が平行梁２０を跨いでいる。また、支持板８の中心部に貫通穴が設けられ、丸鋼等からなる吊りボルト１の両端部にネジ部を設けられ、支持板８の貫通穴に吊りボルト１の上端部側が通され、吊りボルト１の上端部側にナット９が螺合されて、吊りボルト１が支持板８を介して平行梁２０に支持されている。また、円柱形の支持材（支持部品）２の上部側にネジ穴が設けられ、支持材２のネジ穴に吊りボルト１の下端部側が螺合され、吊りボルト１の下端部側に支持材２が支持されている。また、支持材２の下部側にスリット部２１と貫通穴２２とが設けられ、スリット部２１に支持プレート３が挿入され、支持プレート３に貫通穴２３が設けられ、支持材２の貫通穴２２と支持プレート３の貫通穴２３とが一致しており、貫通穴２２、２３にピン７が通されて、支持プレート３が支持材２を介して吊りボルト１に支持されている。また、支持プレート３に平型鋼板４が隅肉溶接により連結され、平型鋼板４に平型鋼板５が隅肉溶接により連結され、平型鋼板５に平型鋼板６が隅肉溶接により固定され、平型鋼板５上に中心線が水平な配管３１、３２が載置され、平型鋼板６上に中心線が水平でかつ配管３１よりも外径の小さな配管３３が載置され、配管３３の中心線の高さと配管３３に水平方向に隣接した配管３１の中心線の高さとが一致している。
【０００５】
なお、平行梁２０に支持材２を支持するために、吊りボルト１の代わりにハンガーを使用する場合がある。
【０００６】
【発明が解決しようとする課題】
しかし、このような配管支持構造においては、上下左右に配置された配管３１〜３３の間に配置された平型鋼板４、５を隅肉溶接にて連結する場合、現地での足場を組むなどの高所作業であることが多いから、作業性が悪く、また溶接時に配管３１〜３３に損傷を与える危険性がある。また、同じフロア上に位置する配管３１〜３３においても、配管長が長く、１か所の支持位置では配管３１〜３３の全体を支持できず、複数の支持位置で支持することが必要となる場合があり、配管と配管との中心距離が各支持位置にて異なる場合、あるいは複数の配管を一緒に支持するのにそれぞれの外径が異なる場合がある。このため、これらに合わせて様々な幅と長さの平型鋼板４、５を製作しなくてはならず、構成部品数が多くなるから、製作コストが高価となる。さらに、重量分である配管３１〜３３の高さ方向および横方向の位置を配管３１〜３３の支持と同時に調整する必要があるが、配管３１〜３３を所定の位置に設定した後に支持プレート３に平型鋼板４を隅肉溶接により連結し、平型鋼板４に平型鋼板５を隅肉溶接により連結して、配管３１〜３３の位置を最終設定しているから、隅肉溶接時に配管３１〜３３の位置調整を行なうことが難しい。
【０００７】
本発明は上述の課題を解決するためになされたもので、作業性が良好であり、配管に損傷を与える危険性がなく、製作コストが安価であり、配管の位置調整を行なうことが容易である配管支持構造を提供することを目的とする。
【０００８】
【課題を解決するための手段】
この目的を達成するため、本発明においては、支持材にネジが設けられた支持ボルトを支持し、上記支持ボルトを保持材に設けられた第１のボルト穴に通し、上記支持ボルトに保持ナットを螺合し、上記保持材の下面に上記保持ナットを接触させ、上記保持材の上面に配管を載置する。
【０００９】
この場合、上記保持材の上面の一部にレベル調整板を載置し、上記レベル調整板に第２のボルト穴を設け、上記第２のボルト穴と上記第１のボルト穴とを一致させ、上記支持ボルトを上記第２のボルト穴に通し、上記レベル調整板の上面に配管を載置してもよい。
【００１０】
【発明の実施の形態】
図１は本発明に係る配管支持構造を示す正面図、図２は図１に示した配管支持構造を示す側面図である。図に示すように、吊りボルト１０の上側にネジが設けられ、支持板８の貫通穴に吊りボルト１０の上端部側が通され、吊りボルト１０の上端部側にナット９が螺合されて、吊りボルト１０が支持板８を介して平行梁２０に支持されている。また、吊りボルト１０の下側が丸く曲げられ、Ｕ形に曲げた鋼板からなる支持材（連結支持部）１１の上部に貫通穴が設けられ、吊りボルト１０の丸く曲げた部分と支持材１１の貫通穴とが一致しており、吊りボルト１０の丸く曲げた部分、支持材１１の貫通穴にピン１６が通されて、支持材１１が吊りボルト１０に支持されている。また、支持材１１の下面に複数のボルト穴（貫通穴）が設けられ、支持ボルト１３の全長にネジが設けられ、支持材１１の複数のボルト穴にそれぞれ支持ボルト１３の上端部側が通され、支持ボルト１３の上端部側に支持ナット１４が螺合されて、支持ボルト１３が支持材１１に支持されている。また、複数のみぞ形鋼（Ｕ型鋼）からなる保持材１２に複数の第１のボルト穴（貫通穴）が設けられ、支持ボルト１３が保持材１２のボルト穴に通され、支持ボルト１３に保持ナット１８が螺合され、保持材１２の下面が保持ナット１８と接触しており、保持材１２が支持ボルト１３に支持されている。また、保持材１２の上面の一部に鋼板からなるレベル調整板１５が載置され、レベル調整板１５に複数の第２のボルト穴（貫通穴）が設けられ、レベル調整板１５のボルト穴と保持材１２のボルト穴とが一致しており、支持ボルト１３が保持材１２のボルト穴、レベル調整板１５のボルト穴に通されている。また、保持材１２の下部すなわち図１紙面下方部に凹部１７が設けられ、保持材１２の上面に配管３１、３２が載置され、配管３１の上部は保持材１２の凹部１７に係合している。また、レベル調整板１５の上面に配管３３が載置され、配管３３の中心線の高さと配管３３に水平方向に隣接した配管３１の中心線の高さとが一致している。
【００１１】
この配管支持構造においては、支持ボルト１３を保持材１２のボルト穴に通し、支持ボルト１３に保持ナット１８を螺合することにより、保持材１２を支持ボルト１３に支持しているから、溶接作業を行なう必要がないので、作業性が良好であり、配管３１〜３３に損傷を与える危険性がない。また、支持ボルト１３に対して保持ナット１８を回転することにより（保持ナット１８を締め付けまたは緩めることにより）、保持ナット１８、保持材１２、レベル調整板１５の高さ方向の位置（レベル）を調整することができるから、配管と配管との中心距離が各支持位置にて異なる場合、あるいは複数の配管を一緒に支持するのにそれぞれの外径が異なる場合にも、構成部品数が多くなることがないので、製作コストが安価となる。さらに、支持ボルト１３に対して保持ナット１８を回転することにより、保持ナット１８、保持材１２、レベル調整板１５の高さ方向の位置を調整することができるから、配管３１〜３３の位置調整を行なうことが容易である。また、保持材１２の上面にレベル調整板１５が載置されているから、水平方向に隣接しかつ外径の異なる配管３１、３３の中心線の高さを容易に一致させることができる。また、レベル調整板１５にボルト穴を設け、レベル調整板１５のボルト穴と保持材１２のボルト穴とを一致させ、支持ボルト１３を保持材１２のボルト穴、レベル調整板１５のボルト穴に通しているから、任意の保持材１２の任意の位置に容易にレベル調整板１５を取り付けることができる。また、保持材１２に凹部１７を設け、配管３１の上部を保持材１２の凹部１７に係合しているから、配管３１を確実に支持することができる。
【００１２】
なお、保持ナット１８を２段重ねたダブルナットとすることにより、保持ナット１８の回り止め溶接をする必要がなくなる。また、支持ボルト１３は材質的に硬いため、支持ボルト１３と配管３１との間には振動等による変位分を吸収するだけの距離をあけておくことが望ましい。
【００１３】
また、上述実施の形態においては、支持材１１のボルト穴に支持ボルト１３の上端部側を通し、支持ボルト１３の上端部側に支持ナット１４を螺合することにより、支持ボルト１３を支持材１１に支持したが、他の手段により支持ボルトを支持材に支持してもよい。また、上述実施の形態においては、支持ボルト１３の全長にネジを設けたが、支持ボルトの一部にネジを設けてもよく、支持ボルトの下方部の大部分（たとえば４分の３以上）にネジを設けるのが望ましい。
【００１４】
【発明の効果】
本発明に係る配管支持構造においては、溶接作業を行なう必要がないから、作業性が良好であり、配管に損傷を与える危険性がなく、また支持ボルトに対して保持ナットを回転することにより、保持材の高さ方向の位置を調整することができるから、構成部品数が多くなることがないので、製作コストが安価となり、さらに配管の位置調整を行なうことが容易である。
【００１５】
また、保持材の上面にレベル調整板を載置し、レベル調整板に第２のボルト穴を設け、第２のボルト穴と第１のボルト穴とを一致させ、支持ボルトを第２のボルト穴に通し、レベル調整板の上面に配管を載置したときには、水平方向に隣接しかつ外径の異なる配管の中心線の高さを容易に一致させることができる。
【図面の簡単な説明】
【図１】本発明に係る配管支持構造を示す正面図である。
【図２】図１に示した配管支持構造を示す側面図である。
【図３】従来の配管支持構造を示す正面図である。
【図４】図３に示した配管支持構造を示す側面図である。
【符号の説明】
１１…支持材
１２…保持材
１３…支持ボルト
１５…レベル調整板
１８…保持ナット
３１…配管
３２…配管
３３…配管
【図１】
2004270862.tif 000003
【図２】
2004270862.tif 000004
【図３】
2004270862.tif 000005
【図４】
2004270862.tif 000006